(57)【要約】      （修正有）【課題】以前から磁石を用いて建物に取り付ける内装及び外装材が提案されているが、これらの提案は従来使われている内装用及び外装用建材には適用することができなかった。従来の内装用及び外装用の建材を、従来の接着剤及び釘などを用いずに簡単に取り付け取り外しが可能になる建材と建物を提供する。【解決手段】内装用及び外装用建材１と建材を取り付ける建物側のいずれか一方に磁石４を設け、もう一方に磁石に吸着する物質２を設けることで、建材１を磁力により建物へ貼り付ける。【選択図】図１
2011140793.tif 000002
【特許請求の範囲】
【請求項１】
内装用及び外装用建材と建物のいずれか一方に磁石を施し、もう一方に磁石に吸着する物質を施し、前記建材を建物に磁力により貼り付けた事を特徴とする磁力装着式建材及び建物。
【請求項２】
フィルム、シート、又は板に磁石又は磁石に吸着する物質を施し、前記フィルム、シート、又は板を建材又は建物に取り付けた事を特徴とする請求項１記載の磁力装着式建材及び建物。
【請求項３】
磁石又は磁石に吸着する物質を塗料に混入し、前記磁石又は磁石に吸着する物質入り塗料を建材又は建物に塗布したことを特徴とする請求項１記載の磁力装着式建材及び建物。
【請求項４】
磁石又は磁石に吸着する物質を接着剤に混入し、前記磁石又は磁石に吸着する物質入り接着剤を建材又は建物に付着させたことを特徴とする請求項１記載の磁力装着式建材及び建物。
【請求項５】
請求項３及び４記載の磁石又は磁石に吸着する物質入り塗料及び接着剤をフィルム、シート、又は板に塗布又は付着させ、前記フィルム、シート、又は板を建材又は建物に取り付けたことを特徴とする請求項１，２，３，４記載の磁力装着式建材及び建物。
【請求項６】
成型可能な材料に磁石又は磁石に吸着する物質を混入又は敷設し、前記材料を建材又は建物に取り付けた事を特徴とする請求項１記載の磁力装着式建材及び建物。
【請求項７】
請求項２及び５の磁石または磁石に吸着する物質を施したフィルム、シート、又は板の反対面に取り付け取り外し自在な手段を設けた事を特徴とする請求項１，２，５記載の磁力装着式建材及び建物。
【請求項８】
磁石に吸着する物質の代わりに磁石を用いて、建材と建物の双方に磁石を設け、建材側の磁石と建物側の磁石同士を吸着させ建材を建物に貼り付けたことを特徴とする請求項１から７記載の磁力装着式建材及び建物。
【発明の詳細な説明】
【技術分野】
【０００１】
本発明は、磁力により建材を建物に貼り付ける磁力装着式建材及び建物に関する。
【背景技術】
【０００２】
従来、建物の内装材としての壁紙やクッションフロア、各種タイルなどの床材は接着剤により壁や床に貼り付けていた。また、外装材の屋根瓦や壁材も釘などにより止められていたが、こういう従来の取り付け方法に対して磁石に鉄を吸着させる方法で内装材や外装材を取り付ける提案がされている。例えば、文献１では壁に接着された鉄板の凸部に板に取り付けた磁石の凹部を合わせて取り付ける。また、文献２では、板の裏に取り付けた磁石により、板をスチール家具に取り付ける方法が提案されている。
【特許文献１】特開H０１−１２５４５４号公報
【特許文献２】特開２００９−５７７４０号公報
【発明の開示】
【発明が解決しようとする課題】
【０００３】
しかし、文献１の方法では板状の建材に限られている。さらに板と壁の間に空間が出来るため、従来の壁紙や外装材の板状の建材の様に建物側と密着して取り付けることが出来ない。また、文献２は、スチール製の家具に適用する方法でしかなかった。
【０００４】
本発明は、上記事情を考慮して成されたもので、従来、建物の内装及び外装に使われている多くの建材、例えば内装用の壁紙を始めとする各種壁材、及び各種床材から外装用の外壁板材及び屋根材などの取り付け取り外しを磁石を利用して簡単にできる建材と建物の提供に加え従来にない建材の提供を目的とする。
【課題を解決するための手段】
【０００５】
建材と建物のいずれか一方に磁石を設け、もう一方に磁石に吸着する物質を設ける。又は建材と建物双方に磁石を設けて建材を磁力により建物に吸着させて貼り付ける。建材と建物に磁石又は磁石に吸着する物質を設ける手段としては、基本的に直に建材又は建物に取り付けることもできるが、この他にも代表的な手段がある。例えば磁石又は磁石に吸着する物質をシート、フィルム、板などに取り付けてからこれらシート、フィルム、板などを建材及び建物に取り付ける。また、例えば磁石又は磁石に吸着する物質を塗料或いは接着剤に混ぜて建材及び建物に塗布する、またはシート、フィルム、板などに塗布し、これらシート、フィルム、板などを建材及び建物にとりつける。また、例えば磁石又は磁石に吸着する物質をゴム類、合成樹脂類、木製品、紙製品、金属製品など各種材料に混入、或いは敷設した後、これら各種材料を建材及び建物に装着する。などの手段がある。また、上記の各手段を組み合わせて行うことも出来る。これにより従来の各種建材でも建物に簡単に取り付けることが可能になる。また取り外しも簡単に出来る。
【発明の効果】
【０００６】
本発明は、従来の内装材、外装材の建材の取り付け取り外しが極めて簡単に出来る。また、殆どの内装用、外装用の建材に適用できる。
【０００７】
また、建材に取り付けた鉄及び磁石を再利用できる。さらに、一度使った建材も再び使うことが可能になる。
【０００８】
また、壁紙など建材の貼り付け位置や合わせ目が違ったりした場合、何度でも張り直しが可能になる。また、薄い壁紙などには本発明の他の建材を壁紙の上に貼り付けることもできる。また、貼り付けた建材が汚れた場合、取り外して洗浄した後、再び貼り付けることができる。
【発明を実施するための最良の形態】
【０００９】
本発明の磁石に吸着する物質としては鉄及び鉄を含んだ各種鉄製品又は鉄加工製品があるが、以下の説明では鉄として説明する。本発明によれば、磁石及び鉄は建材と建物のいずれに使用しても自由だが、以下説明する実施例では施工後、交換する必要がない建物側には鉄に比べ価格の高い磁石を主に設ける、反対に模様換えなどで取り換えることが多い内装及び外装用の建材には低価格な鉄製品を設けることで説明する。以下、実施例を図面に基づいて説明する。尚、図面において同一の部分には同一の符号を記してその詳しい説明は省略する。
【実施例１】
【００１０】
図１は、本発明の第1実施例を示す要部説明図である。従来の室内用壁紙に磁石に吸着する鉄を施し、室内の壁には磁石を施すことを特徴とする。
【００１１】
壁紙１は鉄粉２とフィルム３との一体構造となっており、フィルム３は鉄粉２の錆止めの役割も持っている。この壁紙１を貼る建物側には磁石４を敷設した磁石付シート５を壁下基材６に取り付ける。これにより、建物側の磁石４に壁紙１の鉄粉２が吸着され、壁紙１を建物に貼り付けることができる。
【００１２】
なお、磁石付シート５は壁下基材６に取り付けた後は部屋の間取り、又は仕様を変えるか建物を解体する以外殆ど外す必要が無いため、壁下基材６に取り付ける手段は接着剤、又は釘や木ネジなど壁下基材６に合った任意の取り付け手段でよい。また、磁石付シート５は壁の曲面形状に合わせる事も考慮して磁石４共々柔軟性のあるほうが適している。この柔軟性のあるシートとして市販されている磁石付シートを用いることも出来る。なお、磁石の強度及び厚さは任意でよい。また、壁紙１に敷設する鉄粉２の大きさや敷設する厚さも壁紙１の柔軟性を損なわない厚さで自由に決めてよい。また、鉄粉２とフィルム３を壁紙１に敷設する手段は任意でよく、例えば鉄粉２を敷設する際とフィルムで被う際に接着剤、又は粘着性の材料を用いても良いし、また、例えば鉄粉２を柔軟性のある物質、例えばゴム類、又は柔軟性のある合成樹脂に混入してそれを壁紙１に敷設するなど、壁紙１の材質と取り扱いの善し悪しを考慮して自由に決めてよい。また、壁紙の種類も各種の紙壁紙、織物壁紙、科学繊維壁紙から合成樹脂系壁紙など任意の種類、材質の壁紙を使用出来る。
【実施例２】
【００１３】
図２は、本発明の第２実施例を示す要部説明図で、建物の外装用建材として従来の建材を使わずに外壁用装飾シート７を用いたことを特徴とする。
【００１４】
外装用の建材として表面に着色した外壁用装飾シート７は裏面に鉄粉を混入させた鉄粉入り塗料８をなるべく平滑に塗布してある。建物側には磁石４を敷設した磁石付防水シート９を外壁下地１０に取り付ける。この磁石４の磁力により外壁用装飾シート７は磁石４に吸着し磁石付防水シート９を介して建物に貼り付けることが出来る。
【００１５】
なお、外壁用装飾シート７の形状、大きさは建物側の状況により任意でよい。また、貼り合わせかたも従来の外壁用板材と同様にしてよい。ここで貼り合わせ方の一例を説明する。図３は外壁用装飾シート７を横長にして貼り重ねる横羽目の一種である下見板張りで貼り合わせたものである。上方の外壁用装飾シート７の下端を下方の外壁用装飾シート７の上端に羽重ねにして貼り合わせたもので、これにより雨水の浸透を防ぎやすくなる。また、より強く密着させる手段として下方の外壁用装飾シート７の上端の重なっている部分に磁石を施すことで、上方の外壁用装飾シート７の下端部はより強く下方の外壁用シート７の上端部に密着できる。また、雨風に晒される外壁用装飾シート７をより強く建物に密着させるため、磁石４の磁力は強い方が望ましい。
【００１６】
本実施例の外壁用装飾シート７は文字通り表面に各種の色を付けることができるが、この他に各種模様、絵などを描いてもよい。また、漆喰や珪藻土を塗布することもできる。また、外壁用装飾シート７の表面を汚れから防ぐ為に、表面に酸化チタンを施すこともできる。また、酸化チタン入り塗料を表面に塗布することもできる。また、外壁用装飾シート７の素材は任意でよいが、防水性を有することは勿論で加えて難燃性の材料を用いれば防火性能も向上する。さらに表面に難燃加工したり漆喰、又は珪藻土を塗布することでより防火性能を高めることが可能になる。また、外壁下地１０にも難燃性の材料、又はコンクリートなどの耐火材料を用いればより一層防火、耐火性能を向上できる。
【実施例３】
【００１７】
図４は、本発明の第３実施例を示す説明図である。内装用床板を磁力により床に貼り付けることを特徴とし、さらに衝撃吸収性能を持たせたことも特徴とする。
【００１８】
一般の家庭などに使われているフローリング材の木製の床板１１は底面にブリキ板１２を着脱可能に図示しない木ねじで止め付けている。この床板１１を貼り付ける建物側には、衝撃吸収材の上面に間隔を開けて板状の磁石４を付着させた磁石付衝撃吸収材１３を床下材１４に取り付けている。これにより床板１１は下面のブリキ板１２が磁石４に吸着することで建物の床に敷設することができる。なお、この床板１１を敷設する場合、床板１１と磁石４の長手方向を縦とすると、互いに縦が直角になるように敷設することで平均して磁石４に吸着できる。これにより、床板１１は畳のようにいつでも簡単に取り外し、再び簡単に敷設することが可能になる。
【００１９】
なお、磁石４は本実施例では間隔を開けて敷設しているが、これは床板１１を充分吸着させることができる磁力を保ち、且つ少しでも経済的に提供できることを目指したものである。また、磁石４の経済的な形状は間隔を開けた板状だけでなく、格子状でも網目状でも自由でよいし、経済的な効果を考えなければ衝撃吸収材全面に敷設することも自由である。また、磁石付衝撃吸収材１３の形状は正方形が望ましいが、他の形状でもよいし、大きさ、厚さも自由でよい。また、床下材１４に取り付ける手段も床下材１４の種類により接着でも釘などで止着するなど任意でよい。
【００２０】
また、ブリキ板１２は取り付け、取り外しが簡単に出来るので現場で床板１１に取り付けることが可能になり、再利用もできる。また、ブリキ板１２は錆止めの為に使用したもので、他の錆止め効果を有する他のメッキ鉄製品、又はコーティングした鉄製品など任意に使用してよい。また錆止め効果を望まなければ普通の鉄板でも使用できる。また、ブリキ板１２の形状や厚さ及び取り付け方も任意でよく、例えば２枚以上間隔を開けて床板１１に止め付けることもできる。
【実施例４】
【００２１】
図５は、本発明の第４実施例を示す説明図である。
【００２２】
表面に磁石４を付着させたシート１５の裏面に貼り剥がし可能な接着剤１６を設けたもので、このシート１５を貼り剥がし可能な接着剤1６により従来の磁石がきかない壁、家具などに貼り付ける。これにより鉄製品及び鉄を含んだ製品ならば容易にシート１５の磁石４に貼り付けることができる。また、接着剤として貼り剥がし可能な接着剤１６を用いているので、取り外す場合も剥がした跡に接着剤が残らない利点があり、そのまま従来の壁、家具を使うことができる。また再度同じシート１５を使うことができる。つまり貼り付ける場所を変えて使うことが可能になる。また、貼り付ける対称も壁や家具に限らず、なるべく平滑な面を持つ場所ならば、タイル、ガラスなどから磁石の効かない金属製品など材質を選ばずに適用できる。
【００２３】
以上、本発明の基本的な実施例について説明したが、本発明は上記の建材に限らず種々の建材及び材料に適用が可能である。例えば、第１実施例では壁紙を説明したが、内装材としては、これに限らず腰板や巾木にも適用でき、さらに各種の木板に適用し壁全体に貼り付ければ部屋をログハウス的な内装にできる。また、この他の木製品、紙製品、竹製品、金属製品、陶器製品、又は合成樹脂製品など任意の材料で室内を飾ることが出来る。また、壁紙でなく漆喰や珪藻土を鉄、又は磁石を取り付けたシート、又は板などに塗布し壁に貼り付ける事もできる。これにより従来では現場で塗り付ける方法しか出来なかった作業が素人でも出来るような簡単な作業になる。また、取り外すことも簡単に出来る。なお、このシートや板の形状及び大きさは自由で壁に数枚に分けて貼り付けることが出来る。また、任意の形にして磁石で貼り付けた壁紙の上からでもワンポイントで貼り付けることもできる。
【００２４】
また、第２実施例では外装用建材として外壁用装飾シート７を説明したが、これに限らず従来の外壁用建材、例えば木製板、金属製板、又はタイルなど殆どの建材にも適用でき、これらの建材を磁力により建物に貼り付けることができる。外装用建材は外壁用だけでなく瓦などの屋根材にも適用できる。特に陶製の瓦と屋根下材を磁力により貼り付けることで、風による剥がれを防ぐことができる。また、現在では屋根材と外壁材も軽くて丈夫な金属製品が使われておりこれらに適用することもできる。特に磁石に吸着する金属ならば建物側に磁石を取り付けるだけで、これらの屋根材及び外壁材を磁石に吸着させて建物に貼り付けることができる。また、建物側に取り付けた磁石付防水シート９も第1実施例と同様に市販の磁石付シートを使用すことも出来る。また、第１、２実施例の建物側の磁石付シートを磁石とシートに分ける事もできる。また、板状の磁石とシートを壁下材に貼り合わせてもよい。また、鉄粉入り塗料８の塗料は何色でもよく、透明でもよい。
【００２５】
また、第３実施例の床材も木製の床板の他にクッシヨンフロア、カーペットから各種材質のタイル、又はオフィスビル用のプラスチックタイルなど自由に適用できる。また、実施例では磁石付衝撃吸収材を用いたが、これに限らずゴム類の材料を用いてもよい、また、磁石をゴムに混入させた磁石入りゴムとすることもできる。また、建物により磁石を床下材の上に直に取り付けることもできる。
【００２６】
また、第４実施例では張り剥がし可能な接着剤１６を説明したが、これに限らず貼り付けた壁や家具に接着剤が残らなければ接着剤の種類は自由に選んで良い。また、実施例ではシート１５に磁石４及び接着剤１６を設けたが、これに限らず各種材質の板に設けても良いし磁石４自体に接着剤を設けることも出来る。また、取り外した跡が以前の状態を保てる手段としては接着剤の他に吸盤を使用することも出来る。なお、吸盤の数や大きさは任意でよいが、できれば一枚のシート又は板に小型の吸盤を数多く取り付けた方が壁や家具との隙間が少なくてすむ。また、磁石４の代わりに鉄製品を設けることもできる。
【００２７】
また、各実施例では磁石に鉄を吸着させる例を説明したが、本発明は基本的に建材と建物を磁力により吸着させることを目的とするもので、磁石に鉄を吸着させるだけでなく磁石に磁石を吸着させることもできる。つまり建材と建物側双方に磁石を設けることも出来る。これにより、建材と建物をより強く吸着させることが可能になる。但し、磁石同士は地場の方向があるので取り付ける建材の向きに気をつけなければならない。例えば無地の板やシートは問題ないが、板やシートに模様などがある場合の貼り合わせ方に注意を要する。また、磁石の種類も永久磁石ならば市場で多く使われているフェライト磁石、アルニコ合金磁石から強力な磁力のネオジウム磁石など任意に用いてよく、磁力の強さも建物及び建材によって自由に変えてよい。また、磁石に吸着する物質として、鉄、鋼及びこれらを含んだ鉄加工製品など磁石に吸着できれば材質は問わずに自由に使用出来る。また、これら磁石及び鉄などを建材及び建物に取り付ける際の形状は粉状、粒状、薄板状など任意の形状で良く、これらをフィルムやシート又は板などで挟む、又は付着させてから取り付けることも出来る。また、実施例２で説明した塗料に混入させる他にゴム類、合成樹脂、木製品、紙製品、金属製品などに混入又は付着させた磁石及び鉄製品を用いることもできる。また、磁石及び鉄製品を直接建物及び建材に取り付けることもできる。なお、これらを建物及び建材に取り付ける際の大きさ並びに形状も建物や建材によって自由に変える事が出来る。
【図面の簡単な説明】
【００２８】
【図１】本発明の第１実施例を示す要部説明図である。
【図２】本発明の第２実施例を示す要部説明図である。
【図３】外壁用装飾シート７の貼り合わせ方の一例を示した説明図である。
【図４】本発明の第３実施例を示す説明図である。
【図５】本発明の第４実施例を示す説明図である。
【符号の説明】
【００２９】
１  壁紙
２  鉄粉
３  フィルム
４  磁石
５  磁石付シート
６  壁下基材
７  外壁用装飾シート
８  鉄粉入り塗料
９  磁石付防水シート
１０  外壁下地
１１  床板
１２  ブリキ板
１３  衝撃吸収材
１４  床下材
１５  シート
１６  貼り剥がし可能接着剤
【図１】
2011140793.tif 000003
【図２】
2011140793.tif 000004
【図３】
2011140793.tif 000005
【図４】
2011140793.tif 000006
【図５】
2011140793.tif 000007